(57)【要約】【課題】上下に離隔して並置されている管状のランプの両端部を隠蔽するカバー体を取外すことなくランプの交換を伴うメンテナンスを行うことができる表示装置を提供する。【解決手段】前側に表示面１ａを有し、前面視矩形状をなす表示部１の一辺部を、上下に離隔して並置されている管状のランプ２１及び該ランプ２１を収容支持しているケース体２２を有するバックライト部２に前後方向への回動を可能に枢支し、ランプ２１の両端部を隠蔽するカバー体３，４を表示部１の一辺部及び該一辺部と対向する対向辺部に取付けることにより、表示部１の回動とともにカバー体３，４を離隔移動させるようにした。【選択図】図１
2009123554.tif 000002
【特許請求の範囲】
【請求項１】
前側に表示面を有する表示部と、管状のランプ及び該ランプを収容支持してあるケース体を有し、前記表示部の後側に配してあるバックライト部と、前記ランプの端部を隠蔽するカバー体とを備える表示装置において、前記表示部は、前記バックライト部に対し前後方向への接離を可能に前記バックライト部に連結されており、前記カバー体は前記表示部に設けてあることを特徴とする表示装置。
【請求項２】
前記表示部及びバックライト部は前面視矩形状をなし、該表示部及びバックライト部夫々の一辺部に枢支部を有する請求項１記載の表示装置。
【請求項３】
前記一辺部夫々は、該一辺部夫々に沿って配されている連結部材を有し、該連結部材夫々に前記枢支部が設けられている請求項２記載の表示装置。
【請求項４】
前記枢支部は前記ランプの一方の端部側に配してある請求項２又は３記載の表示装置。
【請求項５】
前記表示部及びバックライト部夫々の前記一辺部と対向する対向辺部は、該対向辺部夫々に沿って配され、互いに当接して前記表示部の後方への回動を規制する回動規制部材を有し、表示部の回動規制部材に、前記ランプの他方の端部を隠蔽するカバー体を配してある請求項２から４のいずれか一つに記載の表示装置。
【請求項６】
前記カバー体は、前記ランプの周面部を隠蔽する隠蔽部と、前記回動規制部材に取付けられる取付部と、該取付部又は前記隠蔽部から前記表示面側へ延出され、前記表示部における回動規制部材のランプに臨む面と対向する光反射部とを有する請求項５記載の表示装置。
【発明の詳細な説明】
【技術分野】
【０００１】
本発明は液晶テレビジョン、プラズマテレビジョン等の薄型の表示装置に関する。
【背景技術】
【０００２】
テレビジョン等の薄型の表示装置は、前側に表示パネルを有し、前面視矩形状をなす表示部と、上下に離隔して並置される複数本の円管状のランプ及び前側が開放され、ランプを収容支持しているケース体を有し、前記表示部の後側に配してあるバックライト部と、前記ランプの両端部を隠蔽するカバー体とを備える（例えば、特許文献１参照）。前記ランプの両端部は、ケース体内に固定される二つのホルダにより保持されている。また、前記カバー体は、ランプが発光した光をケース体の開放部側へ反射させる反射機能を有し、光を発光しないランプ端部を隠蔽することによりケース体内の輝度を高めるものであり、雄螺子によりケース体内に取付けられている。
【０００３】
以上のように構成された表示装置は、バックライト部の前側に、ランプが発生した光を拡散して表示パネルに照射するための拡散板等の光学シートが配され、該光学シートの前側に表示部が配され、該表示部の周縁部が複数本の雄螺子によりケース体の周縁部に取付けられる。
【特許文献１】特開２００６−６６３５９号公報
【発明の開示】
【発明が解決しようとする課題】
【０００４】
ところで、液晶テレビジョン等の薄型の表示装置において、例えばランプの交換を伴うメンテナンスの際は、表示部が取付けられている複数本の雄螺子を弛緩し、表示部及び光学シートを取外してバックライト部の前側を開放し、さらに、ランプの両端部を隠蔽している二つのカバー体を取外した後、ランプを取外す作業工程が必要であり、また、ランプを交換した後、カバー体、表示部及び光学シートを取付ける作業工程が必要であるし、また、比較的大型の表示装置の場合、バックライト部から取外した表示部、光学シート及びカバー体を仮置きするための比較的広いスペースが余計に必要であり、改善策が要望されていた。
【０００５】
そこで、本発明の出願人は前面視矩形状をなす表示装置における光学シートを表示部に組付け、該表示部の一辺部をバックライト部の一辺部に枢支することにより、ランプの交換を伴うメンテナンスの際、枢支部を支点として表示部を前方へ回動させることによりバックライト部の前側を開放でき、メンテナンスの作業工数を削減できるとともに、表示部の仮置きスペースが必要でない表示装置を先に開発した。
【０００６】
しかし、先に開発された表示装置は、ランプの両端部を隠蔽する二つのカバー体がバックライト部のケース体に雄螺子により取付けられているため、表示部の前方への回動によりバックライト部の前側が開放された後、カバー体を取外す作業工程が必要であり、また、取外したカバー体を仮置きするためのスペースが余計に必要であり、さらなる改善策が要望されていた。
【０００７】
本発明は斯かる事情に鑑みてなされたものであり、主たる目的はバックライト部に対し前後方向への接離を可能にバックライト部に連結されている表示部にカバー体を設けることにより、カバー体を取外すことなくランプの交換を伴うメンテナンスを行うことができる表示装置を提供することにある。
【課題を解決するための手段】
【０００８】
本発明に係る表示装置は、前側に表示面を有する表示部と、管状のランプ及び該ランプを収容支持してあるケース体を有し、前記表示部の後側に配してあるバックライト部と、前記ランプの端部を隠蔽するカバー体とを備える表示装置において、前記表示部は、前記バックライト部に対し前後方向への接離を可能に前記バックライト部に連結されており、前記カバー体は前記表示部に設けてあることを特徴とする。
【０００９】
この発明にあっては、表示部をバックライト部に対し前方へ離隔移動させることにより、該表示部と一体にカバー体が移動し、ランプの端部を前方へ開放することができるため、カバー体を取外すことなくランプの交換を伴うメンテナンスを行うことができ、また、比較的大型の表示装置であってもメンテナンスを一人の作業者で容易に行うことができる。
【００１０】
また、本発明に係る表示装置は、前記表示部及びバックライト部は前面視矩形状をなし、該表示部及びバックライト部夫々の一辺部に枢支部を有する構成とするのが好ましい。
この発明にあっては、枢支部を支点として表示部を前方へ回動させることにより、ランプの端部を開放することができるため、比較的大型の表示装置であっても表示部及びカバー体を仮置きするスペースを必要とすることなくランプの交換を伴うメンテナンスの作業を行うことができ、メンテナンスの作業能率を向上できる。
【００１１】
また、本発明に係る表示装置は、前記一辺部夫々は、該一辺部夫々に沿って配されている連結部材を有し、該連結部材夫々に前記枢支部が設けられている構成とするのが好ましい。
この発明にあっては、表示部及びバックライト部の枢支部を連結部材により補強することができるため、枢支部を支点として表示部が前方へ回動された際の剛性を高めることができ、比較的大型の表示装置であっても耐久性を向上できる。
【００１２】
また、本発明に係る表示装置は、前記枢支部は前記ランプの一方の端部側に配してある構成とするのが好ましい。
この発明にあっては、枢支部を支点として表示部が前方へ回動された際、ランプの他方の端部と表示部との間の離隔距離を比較的長くすることができるため、ランプの本数が多い表示装置であっても全てのランプの交換作業性を高めることができる。
【００１３】
また、本発明に係る表示装置は、前記表示部及びバックライト部夫々の前記一辺部と対向する対向辺部は、該対向辺部夫々に沿って配され、互いに当接して前記表示部の後方への回動を規制する回動規制部材を有し、表示部の回動規制部材に、前記ランプの他方の端部を隠蔽するカバー体を配してある構成とするのが好ましい。
この発明にあっては、前方へ回動されている表示部が後方へ回動される際の回動力に影響されることなく表示部を適正位置に停止させることができるとともに、カバー体を適正な形態に維持することができ、カバー体のランプに対する位置を正確に維持することができる。
【００１４】
また、本発明に係る表示装置は、前記カバー体は、前記ランプの周面部を隠蔽する隠蔽部と、前記回動規制部材に取付けられる取付部と、該取付部又は前記隠蔽部から前記表示面側へ延出され、前記表示部における回動規制部材のランプに臨む面と対向する光反射部とを有する構成とするのが好ましい。
この発明にあっては、ランプの端部周面部を隠蔽しているカバー体の光反射部が、回動規制部材のランプに臨む面と対向しているため、部品点数を増加することなく回動規制部材による輝度の低下を抑制することができる。
【発明の効果】
【００１５】
本発明によれば、表示部をバックライト部に対し前方へ離隔移動させることにより、該表示部と一体にカバー体が移動し、ランプの端部を開放することができるため、カバー体を取外すことなくランプの交換を伴うメンテナンスを行うことができ、ランプの交換を伴うメンテナンスの作業工数を低減でき、メンテナンスのコストを低減できる。
【発明を実施するための最良の形態】
【００１６】
以下本発明をその実施の形態を示す図面に基づいて詳述する。図１は本発明に係る表示装置の構成を示す模式的横断平面図である。
図示した薄型の表示装置は、テレビ画像を表示する表示面１ａを前側に有し、前面視矩形状をなす表示部１と、上下に離隔して並置された複数本の管状のランプ２１及びランプ２１を収容支持しているケース体２２を有し、表示部１の後側に配してあるバックライト部２と、ランプ２１の両端側に配置され、ランプ２１の両端部を隠蔽する第１及び第２のカバー体３，４とを備える薄型の液晶テレビジョン、換言すると液晶表示装置である。
【００１７】
表示部１は、表示面１ａを有する表示パネル１１と、該表示パネル１１の周縁部を前後で保持する保持枠体１２，１３と、内側の保持枠体１３の後側に配されている拡散板等の光学シート１４と、該光学シート１４の後側に配され、該光学シート１４を支持している支持枠体１５とを備え、該支持枠体１５の一辺部１５ａ及び該一辺部１５ａと対向する対向辺部１５ｂの後面にカバー体３，４が取付けられている。
【００１８】
表示パネル１１の前側に配されている保持枠体１２は、表示パネル１１の周縁部前面に対向する矩形状の環板部１２ａ、及び該環板部１２ａの外縁から後方へ延出されている角筒部１２ｂを有する。表示パネル１の後側に配されている保持枠体１３は、表示パネル１１の周縁部後面に対向する矩形状の環板部１３ａ、及び該環板部１３ａの外縁から後方へ延出されている角筒部１３ｂを有し、環板部１２ａ，１３ａ夫々を貫通する複数本の雄螺子１６により保持枠体１２，１３が支持枠体１５に結合されている。また、角筒部１２ｂ，１３ｂの一辺部と対向する対向辺部（ランプ２１の長手方向他端側）には雄螺子５が挿通される複数の挿通孔１２ｃ，１３ｃが上下に離隔して開設されている。また、環板部１２ａ，１３ａ間には表示パネル１１の周縁に当接して該表示パネル１１の位置を決める複数の位置決め部材１７と、表示パネル１１の前後面に接触する帯状の弾性部材１８，１８とが設けられている。
【００１９】
支持枠体１５は断面四角形をなすアルミニウム製の４本の角筒体の端部を結合することにより環板部１３ａに対応する大きさの矩形状に形成されており、前面の内周側に光学シート１４の周縁部が支持され、前面の外周側に雄螺子１６が螺着されている。また、ランプ２１の長手方向一端側となる一辺部１５ａの後面外周側で、上下に離隔した二箇所に、対向する二つの第１の枢支片６１が突設されており、一辺部１５ａ及び対向辺部１５ｂの後面内周側で、上下に離隔した複数箇所に螺子孔１５ｃ，１５ｃが開設されている。
【００２０】
バックライト部２は、上下に離隔して並置される複数本のランプ２１と、前方へ開放されている略直方体をなし、ランプ２１を収容して支持するケース体２２と、該ケース体２２内にランプ２１の並置間隔で取付けられ、ランプ２１の両端部を保持する複数のコネクタ２３，２４と、ケース体２２の内側周縁部に取付けられ、ランプ２１及びコネクタ２３，２４を取り囲む囲繞枠体２５とを有し、ケース体２２の後壁に回路基板等の電気部品が取付けられている。ケース体２２の内面部は、ランプ２１が発光した光をケース体２２の開放部側へ反射させるべき反射面になっている。この反射面はコーティング層及び反射シートを含んでいる。
【００２１】
ランプ２１は両端に二つの凸端子２１ａ，２１ａを有する熱陰極管である。コネクタ２３，２４夫々は電源に接続され、ランプ２１の凸端子２１ａ，２１ａに対応する凹端子２３ａ，２４ａ及び凹端子２３ａ，２４ａに連なる溝部２３ｂ，２４ｂを有し、ランプ２１の端部を該ランプ２１の径方向から押圧することにより凸端子２１ａ，２１ａを溝部２３ｂ，２４ｂに嵌入させ、ランプ２１を周方向へ約９０度回すことにより凸端子２１ａ，２１ａを凹端子２３ａ，２４ａに接続することができるように構成されている。尚、ランプ２１の一端は、凸端子２１ａを溝部２３ｂに嵌めることなく凹端子２３ａに直接嵌めることも可能である。
【００２２】
囲繞枠体２５は、断面四角形をなすアルミニウム製の４本の角筒体の端部を結合することにより矩形状に形成されている。また、ランプ２１の長手方向一端側となる一辺部２５ａの前面で、上下に離隔した二箇所に、対向する二つの第２の枢支片６２が突設されており、第１及び第２の枢支片６１，６２に開設された貫通孔に枢軸６３が挿嵌されることにより表示部１をバックライト部２に前後方向への回動を可能に枢支している。また、ケース体２２の一辺部と対向する対向辺部（ランプ２１の長手方向他端側）には挿通孔１２ｃ，１３ｃに対応する挿通孔２２ａが開設され、囲繞枠体２５の対向辺部２５ｂには挿通孔２２ａに対応する螺子孔２５ｃが開設されている。また、囲繞枠体２５の一辺部２５ａは、他の三辺部の前後長さよりも短い角筒体により形成されている。尚、第１及び第２の枢支片６１，６２と、枢軸６３とが枢支部６を構成しており、支持枠体１５及び囲繞枠体２５の一辺部１５ａ，２５ａが、表示部１の一辺部をバックライト部２の一辺部に枢支部６により回動を可能に連結する連結部材を構成しており、支持枠体１５及び囲繞枠体２５の対向辺部１５ｂ，２５ｂが、表示部１のバックライト部２に対する後方への回動を規制する回動規制部材を構成している。
【００２３】
図２はカバー体３，４の構成を示すもので、(a) は一部を省略した斜視図、(b) は一部を省略した側面図である。第１及び第２のカバー体３，４はポリカーボネート等の高反射性を有する合成樹脂製であり、ケース体２２内にランプ２１の長手方向へ離隔して配されている。カバー体３，４はランプ２１の端部を隠蔽する矩形の隠蔽部３１，４１と、隠蔽部３１，４１の幅方向一縁に連なり、螺子孔１５ｃ，１５ｃに対応する挿通孔３２ａ，４２ａが開設されている矩形の取付部３２，４２とを有し、該取付部３２，４２の挿通孔３２ａ，４２ａに挿通される雄螺子７，７が螺子孔１５ｃ，１５ｃに捩じ込まれることにより支持枠体１５に取付けられている。
【００２４】
隠蔽部３１，４１の幅方向他縁側にはランプ２１の並置間隔に対応した複数の凹部３１ａ，４１ａを有し、凹部３１ａ，４１ａ夫々にランプ２１の端部が配されることによりランプ２１の端部及びコネクタ２３，２４を隠蔽し、ケース体２２内の輝度を高めることができるように構成されている。
【００２５】
以上のように構成された表示装置は、表示部１の一辺部が枢支部６によりバックライト部２の一辺部に枢支され、表示部１の対向辺部がバックライト部２の対向辺部に雄螺子５により固定されており、また、ランプ２１の両端部を隠蔽するカバー体３，４は表示部１の支持枠体１５に取付けられており、ランプ２１が発光する光をカバー体３，４により反射させることができる。
【００２６】
図３は表示部１が前方へ回動された状態を示す模式的横断平面図である。ランプ２１の交換を伴うメンテナンスの際、雄螺子５を弛緩することにより、枢支部６を支点として表示部１を前方へ回動させることができる（図３白抜矢印にて示す方向）とともに、第１及び第２のカバー体３，４をバックライト部２に対し表示部１と一体に離隔移動させることができ、バックライト部２の前側及びランプ２１の両端部を開放することができる。従って、カバー体３，４を殊更取外すことなくランプ２１の交換を伴うメンテナンスを行うことができ、また、カバー体３，４を仮置きするスペースも必要でない。図３の状態でランプ２１を取外す場合、ランプ２１を周方向へ約９０度回して凸端子２１ａ，２１ａ及び凹端子２３ａ，２４ａの係合を解除し、凸端子２１ａ，２１ａがコネクタ２３，２４の溝部２３ｂ，２４ｂに位置する状態でランプ２１を径方向外方（前方）へ移動させることにより、ランプ２１をコネクタ３，４から取外すことができる。
【００２７】
ランプ２１を交換し、メンテナンスが終わった場合、枢支部６を支点として表示部１を後方へ回動させることにより、該表示部１に取付けられている第１及び第２のカバー体３，４がランプ２１の両端部を隠蔽し、表示部１がバックライト部２の前側を隠蔽する。この状態で雄螺子５を囲繞枠体２５の螺子孔２５ｃへ捩じ込むことにより支持枠体１５の対向辺部１５ｂが囲繞枠体２５の対向辺部２５ｂに当接し、表示部１を固定することができる。
【００２８】
また、表示部１は支持枠体１５により補強されており、バックライト部２は囲繞枠体２５により補強されているため、比較的大型の表示装置であっても表示部１及びバックライト部２の剛性を高めることができる。従って、表示部１が前方へ回動される際、表示部１の質量が枢支部６に集中したとしても枢支部６の破損を防ぐことができる。
【００２９】
図４は表示装置の他の構成を示す模式的横断平面図、図５はカバー体３，４の他の構成を示す一部を省略した斜視図である。この表示装置はポリカーボネート等の高反射性を有する合成樹脂により成形されている第１及び第２のカバー体３，４の取付部３２，４２に、該取付部３２，４２の隠蔽部３１，４１側から前方へ延出され、支持枠体１５の一辺部１５ａ内側、対向辺部１５ｂ内側と対向する矩形の光反射部３３，４３を一体に設け、支持枠体１５が輝度に影響するのを低減することができるように構成したものである。
【００３０】
光反射部３３，４３は高反射性を有するため、部品点数を増加することなく支持枠体１５の一辺部１５ａ内側、対向辺部１５ｂ内側での光反射性を高めることができ、輝度の低下を防ぐことができる。
【００３１】
図６は表示装置の他の構成を示す模式的横断平面図である。この表示装置は表示部１をバックライト部２に枢支する代わりに、第１及び第２のカバー体３，４が取付けられている表示部１をバックライト部２に対し前後方向（接離方向）へ移動可能に取付け、表示部１を前方へ移動させ、バックライト部２から取外すことにより該バックライト部２の前側を開放し、ランプ２１の端部を開放することができるように構成したものである。
【００３２】
保持枠体１２，１３における角筒部１２ｂ，１３ｂの一辺部及び対向辺部には挿通孔１２ｃ，１３ｃが開設されており、ケース体２２の一辺部及び対向辺部には挿通孔１２ｃ，１３ｃに対応する挿通孔２２ａ，２２ａが開設されており、また、囲繞枠体２５の一辺部及び対向辺部には挿通孔２２ａ，２２ａに対応する螺子孔２５ｃ，２５ｃが開設されており、挿通孔１２ｃ，１３ｃ，２２ａへ挿通される雄螺子５が螺子孔２５ｃへ捩じ込まれることにより表示部１がバックライト部２に取付けられている。また、支持枠体１５の後面が囲繞枠体２５の前面に当接している。
【００３３】
表示部１の支持枠体１５には第１及び第２のカバー体３，４の取付部３２，４２が雄螺子７，７により取付けられている。
【００３４】
ランプ２１の交換を伴うメンテナンスの際、表示部１の一辺部、対向辺部をバックライト部２に取付けてある雄螺子５，５を弛緩することにより、表示部１を前方へ移動させることができるとともに、第１及び第２のカバー体３，４をバックライト部２に対し表示部１と一体に離隔移動させることができ、バックライト部２の前側及びランプ２１の両端部を開放することができる。従って、カバー体３，４を殊更取外すことなくランプ２１の交換を伴うメンテナンスを行うことができ、また、カバー体３，４を仮置きするスペースも必要でない。
【００３５】
尚、以上説明した実施の形態では円筒形をなすランプ２１の両端部を隠蔽する第１及び第２のカバー体３，４を表示部１に設けたが、その他、枢支部６側の第１のカバー体３はバックライト部２に設けてもよい。この場合、第１のカバー体３は囲繞枠体２５の一辺部２５ａに前後方向への回動を可能に枢支するか、又は、コネクタ２３及び囲繞枠体２５の一辺部２５ａを隠蔽するカバー体を囲繞枠体２５の一辺部２５ａに取付ける。前者の構成では、表示部１が枢支部６を支点として前方へ回動された後、第１のカバー体３を前方へ回動することによりランプ２１の一端部を開放することができる。前者の構成では、円筒形をなすランプ２１は端部の凸端子２１ａをランプ２１の径方向からコネクタ２３に嵌め込む他、ランプ２１の長手方向からコネクタ２３に嵌め込むことも可能である。また、後者の構成では、ランプ２１は端部の凸端子２１ａをランプ２１の長手方向からコネクタ２３に嵌め込むことが可能であるため、ランプ２１の他端側が大きく開放されている状態においては第１のカバー体３がバックライト部２側に固定であってもランプ２１の交換は可能である。
【００３６】
また、以上説明した実施の形態ではランプ２１の両端部を隠蔽する第１及び第２のカバー体３，４を備える構成としたが、その他、第１のカバー体３をなくし、コネクタ２３の表面及び囲繞枠体２５の一辺部２５ａ表面の反射性を高める等によりランプ２１の一端側の輝度を高くする構成としてもよい。
【００３７】
また、以上説明した実施の形態では支持枠体１５の一辺部１５ａ内側、対向辺部１５ｂ内側と対向して一辺部１５ａ内側及び対向辺部１５ｂ内側を被覆する矩形の光反射部３３，４３をカバー体３，４に設けたが、その他、光反射部３３，４３に代えて、支持枠体１５の表面にコーティング層を塗布、又は反射シートを貼り付けることにより、支持枠体１５の表面の光反射性を高めるようにしてもよい。また、光反射部３３，４３は取付部３２，４２に設けられる他、隠蔽部３１，４１に設けられてもよい。
【００３８】
また、以上説明した実施の形態では支持枠体及び囲繞枠体夫々の一辺部を連結部材としたが、その他、連結部材は表示部及びバックライト部夫々の一辺部に配される杆状の部材であってもよい。また、支持枠体及び囲繞枠体夫々の対向辺部を回動規制部材としたが、その他、回動規制部材は表示部及びバックライト部夫々の対向辺部に配される杆状の部材であってもよい。
【００３９】
また、本発明に係る表示装置は液晶テレビジョン等の薄型の液晶表示装置である他、ランプを収容したバックライト部を備える表示装置であってもよい。
【図面の簡単な説明】
【００４０】
【図１】本発明に係る表示装置の構成を示す模式的横断平面図である。
【図２】本発明に係る表示装置のカバー体の構成を示すもので、(a) は一部を省略した斜視図、(b) は一部を省略した側面図である。
【図３】本発明に係る表示装置の表示部が前方へ回動された状態を示す模式的横断平面図である。
【図４】本発明に係る表示装置の他の構成を示す模式的横断平面図である。
【図５】本発明に係る表示装置のカバー体の他の構成を示す一部を省略した斜視図である。
【図６】本発明に係る表示装置の他の構成を示す模式的横断平面図である。
【符号の説明】
【００４１】
１    表示部
１ａ  表示面
１５  支持枠体（連結部材、回動規制部材）
２    バックライト部
２１  ランプ
２２  ケース体
２５  囲繞枠体（連結部材、回動規制部材）
３，４  カバー体
３１，４１  隠蔽部
３２，４２  取付部
３３，４３  光反射部
６    枢支部
【図１】
2009123554.tif 000003
【図２】
2009123554.tif 000004
【図３】
2009123554.tif 000005
【図４】
2009123554.tif 000006
【図５】
2009123554.tif 000007
【図６】
2009123554.tif 000008